(57)【特許請求の範囲】
【請求項１】
電気部品および吸込口を有する吸込口本体と、この吸込口本体に選択的に着脱可能に装着される床面清掃用装着ユニットおよび寝具清掃用装着ユニットと、前記床面清掃用装着ユニットまたは前記寝具清掃用装着ユニットに装着された前記吸込口本体を固定するロック部材とを備え、
前記吸込口本体は、第１筐体と、前記第１筐体内に前記電気部品として設けられたモータおよびロック検知部とを有し、
前記床面清掃用装着ユニットは、第２筐体と、前記第２筐体内に設けられて前記モータの駆動力にて回転可能な回転ブラシを有し、
前記寝具清掃用装着ユニットは、第３筐体と、前記第３筐体内に設けられて前記モータの駆動力にて揺動可能な叩き板を有し、
前記ロック検知部は、前記床面清掃用装着ユニットまたは前記寝具清掃用装着ユニットに装着された前記吸込口本体が前記ロック部材にて固定された状態を検知することにより検知信号を出力するように構成されたことを特徴とする電気掃除機の吸込口体。
【請求項２】
前記吸込口本体は、前記第１筐体内に前記電気部品として設けられた吸込可能検知部をさらに有し、
前記吸込可能検知部は、前記第１筐体の底壁から外部へ突出可能なように上下方向に揺動可能に設けられた車輪と、前記車輪が上方へ揺動して前記第１筐体内に引っ込んだ状態を検知することにより検知信号を出力するスイッチとを有し、
前記第２筐体は、装着された前記吸込口体の前記車輪を外部へ突出させる窓部を有し、
前記第３筐体は、装着された前記吸込口体の前記車輪を受ける底壁を有する請求項１に記載の電気掃除機の吸込口体。
【請求項３】
前記第１筐体は、前記モータを収納するモータ収納室と、外部の空気を前記モータ収納室に吸気可能な吸気孔と、前記モータ収納室内を通過した空気を前記吸込口側へ排気可能な排気孔と有し、
前記第１筐体は、一方向に長い形状で形成された前記吸込口を有する第１筐体部と、この第１筐体部の長手方向と直交する方向に形成されて電気掃除機の掃除機本体に接続される第２筐体部とを備え、
前記第２筐体部の内部は前記吸込口と連通する通風路であり、
前記第１筐体部において、前記吸込口の長手方向一端側に前記モータ収納室が設けられ、前記一端側に前記吸気孔が形成され、前記通風路側に前記排気孔が形成されている請求項１または２に記載の電気掃除機の吸込口体。
【請求項４】
前記モータは、その出力軸の先端が前記吸気孔側に配置され、前記出力軸の基端が前記排気孔側に配置されている請求項３に記載の電気掃除機の吸込口体。
【請求項５】
前記吸込口は、清掃面に対して略垂直面を成して構成されている請求項１〜４のいずれか１つに記載の電気掃除機の吸込口体。
【発明の詳細な説明】
【技術分野】
【０００１】
本発明は、異なる機能を有する複数の吸込口体に共用できる電気掃除機の吸込口本体に関する。
【背景技術】
【０００２】
電気掃除機の吸込口体として、例えば特許文献１には、フローリングや畳等の床面の清掃力を向上させるためにモータで回転駆動する回転ブラシを有する床面清掃用の吸込口体が提案されている。この吸込口体の場合、モータの回転力を回転ブラシに伝達するプーリおよびベルトを有する回転力伝達機構が回転ブラシと連結した状態で吸込口体の筐体内に設けられている。
【０００３】
また、別の吸込口体として、特許文献２には、布団や毛布等の寝具上で振動するビータを備える寝具清掃用の吸込口体が提案されている。この吸込口体は、一対のばねおよび振動子の３点でビータを支持し、回転するカムによって振動子を介してビータを上下に振動させるように構成されている。
【先行技術文献】
【特許文献】
【０００４】
【特許文献１】特開２０１２−２１７７９８号公報
【特許文献２】特許第４５１２６２４号公報
【発明の概要】
【発明が解決しようとする課題】
【０００５】
床面を清掃するときと寝具を清掃するときでは、衛生面、機能面等の観点から、被清掃面に応じた専用の吸込口体（床面清掃用吸込口体または寝具清掃用吸込口体）を使用しなければならない。そのため、被清掃面に応じた専用の各吸込口体にモータ、回路基板等の電気部品を設けなければならず、吸込口体の製造コストが高くなるという問題がある。
【０００６】
そこで、本発明者は、モータ、回路基板等の電気部品を内蔵する吸込口本体に、床面清掃用の清掃部材を有する装着ユニットと寝具清掃用の清掃部材を有する装着ユニットを付け替えるようにすることで、吸込口体の製造コストを低減できることを見出した。
【０００７】
また、特許文献１の床面清掃用吸込口体や特許文献２の寝具清掃用吸込口体では電気掃除機駆動時の気流を利用してモータや回路基板等の電気部品を冷却する冷却風路が設けられるのに対し、本発明者は吸込口本体内に冷却風路を設けることで前記電気部品を冷却できることを見出した。
【０００８】
本発明は、このような課題に鑑みなされたものであり、床面清掃用の吸込口体と寝具清掃用の吸込口体に共用でき、かつ内蔵された電気部品を効率よく冷却することができる電気掃除機の吸込口本体を提供することを目的とする。
【課題を解決するための手段】
【０００９】
かくして、本発明によれば、電気部品および吸込口を有する吸込口本体と、この吸込口本体に選択的に着脱可能に装着される床面清掃用装着ユニットおよび寝具清掃用装着ユニットと、前記床面清掃用装着ユニットまたは前記寝具清掃用装着ユニットに装着された前記吸込口本体を固定するロック部材とを備え、
前記吸込口本体は、第１筐体と、前記第１筐体内に前記電気部品として設けられたモータおよびロック検知部とを有し、
前記床面清掃用装着ユニットは、第２筐体と、前記第２筐体内に設けられて前記モータの駆動力にて回転可能な回転ブラシを有し、
前記寝具清掃用装着ユニットは、第３筐体と、前記第３筐体内に設けられて前記モータの駆動力にて揺動可能な叩き板を有し、
前記ロック検知部は、前記床面清掃用装着ユニットまたは前記寝具清掃用装着ユニットに装着された前記吸込口本体が前記ロック部材にて固定された状態を検知することにより検知信号を出力するように構成された電気掃除機の吸込口体が提供される。
【発明の効果】
【００１０】
床面清掃用の吸込口体と寝具清掃用の吸込口体に共用でき、かつ内蔵された電気部品を効率よく冷却することができる電気掃除機の吸込口本体が得られる。しかも、この吸込口本体に床面清掃用および寝具清掃用の装着ユニットを選択的に装着して構成される吸込口体の製造コストを低減することもできる。
【図面の簡単な説明】
【００１１】
【図１】本発明の吸込口本体を備えた電気掃除機の実施形態１を示す斜視図である。
【図２】実施形態１の電気掃除機における吸込口体の平面図である。
【図３】実施形態１の吸込口体を底面側から視た斜視図である。
【図４】（Ａ）は実施形態１の吸込口体の正面図であり、（Ｂ）は図４（Ａ）のＣ−Ｃ線矢視断面図である。
【図５】実施形態１の吸込口体の部分的な概略平断面図である。
【図６】（Ａ）は実施形態１の吸込口体の左右方向中央位置の断面図であり、（Ｂ）は左右方向一端側の断面図である。
【図７】（Ａ）は図２のＡ−Ａ線矢視断面図であり、（Ｂ）は図２のＢ−Ｂ線矢視断面図である。
【図８】実施形態１の吸込口体の分解図である。
【図９】実施形態１の吸込口体における吸込口本体の分解図である。
【図１０】（Ａ）は実施形態１における吸込口本体と装着ユニットが分離した状態、（Ｂ）は吸込口本体に装着ユニットを装着する状態を示す図である。
【図１１】実施形態１における装着ユニットを吸込口本体に装着する状態を示す部分断面図である。
【図１２】（Ａ）は実施形態１における吸込口体に装着された装着ユニットをロック部材にてロックする前の状態、（Ｂ）はロック後の状態を示す断面図である。
【図１３】本発明の吸込口本体を備えた吸込口体の実施形態２であって（Ａ）は平面図、（Ｂ）は側面図、（Ｃ）は底面図である。
【図１４】実施形態２の吸込口体の上ケースを外した状態の平面図である。
【図１５】実施形態２の吸込口体の駆動力伝達機構側の一部断面図である。
【図１６】実施形態２の吸込口体の分解図である。
【図１７】（Ａ）は実施形態２における装着ユニットを吸込口本体に装着する前の状態、（Ｂ）は装着後の状態を示す断面図である。
【図１８】実施形態２における装着ユニットを吸込口本体に装着する状態を示す部分断面図である。
【図１９】実施形態３における吸込口本と装着ユニットが分離した状態を示す説明図である。
【図２０】実施形態３における吸込口本に装着ユニットを装着した状態を示す説明図である。
【図２１】実施形態４における吸込口本と装着ユニットが分離した状態を示す斜視図である。
【発明を実施するための形態】
【００１２】
（実施形態１）
図１は本発明の回転体の保持構造を備えた電気掃除機の実施形態１を示す斜視図である。
この電気掃除機１は、集塵部および電動送風機等を有する掃除機本体２と、ホース３および延長パイプ４を介して掃除機本体２と接続された吸込口体５とを備える。なお、延長パイプ４のハンドル４ａには操作部４ｂが設けられている。
【００１３】
本発明の特徴は、吸込口体５にあり、その他の構成は特に限定されないため、主として吸込口体５について説明する。なお、本明細書において、「前後方向」は吸込口体５を進退させる方向を指し、「左右方向」は吸込口体５の正面に向かって左右の方向を指す。
【００１４】
＜吸込口体＞
図２は実施形態１の電気掃除機における吸込口体の平面図であり、図３は実施形態１の吸込口体を底面側から視た斜視図であり、図４（Ａ）は実施形態１の吸込口体の正面図であり、（Ｂ）は図４（Ａ）のＣ−Ｃ線矢視断面図である。また、図５は実施形態１の吸込口体の部分的な概略平断面図であり、図６（Ａ）は実施形態１の吸込口体の左右方向中央位置の断面図であり、（Ｂ）は左右方向一端側の断面図である。また、図７（Ａ）は図２のＡ−Ａ線矢視断面図であり、（Ｂ）は図２のＢ−Ｂ線矢視断面図である。また、図８は実施形態１の吸込口体の分解図であり、図９は実施形態１の吸込口体における吸込口本体の分解図である。
【００１５】
吸込口体５は、全体の形状がＴ形であり、床面に対向する集塵開口部５１ｘおよびバンパー５１ｙを有する装着ユニット５１と、装着ユニット５１と着脱可能に接続すると共に延長パイプ４と着脱可能に接続する吸込口本体５２とを有する。
【００１６】
［床面清掃用の装着ユニット］
実施形態１において、装着ユニット５１は床面清掃用であり、下ケース５１ａ1、上ケース５１ａ2および端部カバーとしてのロック部材５１ａ3を有してなる筐体５１ａと、筐体５１ａ内に設けられた回転ブラシユニット５１ｂとを備える。
【００１７】
下ケース５１ａ1は、前記集塵開口部５１ｘおよび吸込口本体５２に設けられた後述する吸込可能状態検知部５２ａ3を床面側に露出させる窓部５１ａ111が形成された底壁５１ａ11と、底壁５１ａ11の外周に沿って連設された周囲壁５１ａ12と、底壁５１ａ11の後端側に設けられたローラ５１ａ13とを有する。
【００１８】
また、下ケース５１ａ1における集塵開口部５１ｘを有する前方部と、窓部５１ａ111を有する後方部との間には、これらの領域を区画する区画壁５１ａ13が設けられている。これにより、下ケース５１ａ1における後方部には後述する吸込口本体５２の第１筐体部５２ａが装着される装着凹部５１ｚが形成される。なお、区画壁５１ａ13の左右方向の中間には切欠き５１ａ131が形成されている。
【００１９】
また、底壁５１ａ11および周囲壁５１ａ12における集塵開口部５１ｘの左右一端側には、回転ブラシユニット５１ｂを保持するようリブや段部にて形成された軸受保持部５１Ａが設けられている。
また、周囲壁５１ａ12および区画壁５１ａ13には、後述する吸込口本体５２に設けられた係止溝部５２ａ5に係止する係止凸部５１ａ131が設けられている。
【００２０】
ロック部材５１ａ3は、吸込口本体５２に装着された装着ユニット５２をロックするものである。さらに、ロック部材５１ａ3は、吸込口本体５１に設けられて装着ユニット５２を吸込口本体５１に固定した状態を検知する後述するロック検知部５２ａｘに当接することにより、ロック検知部５２ａｘから固定信号を送出させる機能を有するが、これについて詳しくは後述する。
【００２１】
［回転ブラシユニット］
図８に示すように、回転ブラシユニット５１ｂは、回転ブラシ部５１ｂ1と、回転力伝達機構部５１ｂ2とを有してなる。
【００２２】
回転ブラシ部５１ｂ1は、図示しない複数のブラシ部が外周面に設けられた軸部５１ｂ11と、軸部５１ｂ11の一端に回転可能に設けられた軸受部５１Ｂとを備え、軸部５１ｂ11の他端は回転力伝達機構部５１ｂ2と連結されている。
【００２３】
図６と図７に示すように、回転力伝達機構部５１ｂ2は、ケース５１ｂ21内に回転可能に設けられた一対の平行な金属軸５１ｂ22、５１ｂ23に固着された大小のギヤ形プーリ５１ｂ25、５１ｂ26と、これらのプーリ５１ｂ25、５１ｂ26に巻き掛けられたベルト５１ｂ27と、小さいプーリ５１ｂ26と側の金属軸５１ｂ23に固着された後述する吸込口本体５２の駆動ギヤ部５２ａ2と噛合可能なギヤ部５１ｂ28とを備える。なお、ケース部５１ｂ21には水抜き孔５１ｂ221が形成されている。
【００２４】
このように構成された回転ブラシユニット５１ｂによれば、吸込口本体５２の駆動ギヤ部５２ａ2からの回転力がギヤ部５１ｂ28に伝達されて回転すると、その回転力がベルト５１ｂ27を介して回転ブラシ部５１ｂ1に伝達され、それによって回転ブラシ部５１ｂ1の軸部５１ｂ11が回転する。
【００２５】
［吸込口本体］
図２〜９に示すように、吸込口本体５２は、全体の形状がＴ形であり、装着ユニット５１と着脱可能な第１筐体部５２ａと、第１筐体部５２ａの左右長手方向の中間部の後端側に前後軸心廻りに回動可能に接続された接続部５２ｂと、接続部５２ｂに対して揺動可能に接続された第２筐体部５２ｃとを備える。
【００２６】
第１筐体部５２ａは、上ケース５２ａｃ1と下ケース５２ａｃ2とを組み付けて形成され、左右長手方向の中間部の前端側に開口する吸込口５２ａ1が形成されている。そして、この吸込口５２ａ1の周囲部にはパッキン５２ａ11が設けられると共に、パッキン５２ａ11の表面に摩擦低減膜が積層されている。この摩擦低減膜としては、例えば、ＰＥＴ（ポリエチレンテレフタレート）といった樹脂のフィルム、フッ素樹脂といった摩擦低減樹脂の塗膜等が用いられる。なお、第２筐体部５２ｃの内部は吸込口５２ａ1と連通する通風路となっている。また、吸込口５２ａ1は、清掃面に対して略垂直になっている。これにより、第１筐体部５２ａの吸込口５２ａ1と接続される装着ユニット側の開口部と接続される通風路の投影面積が少なくなることから第１筐体部５２ａのコンパクト化が図れる。
【００２７】
吸込口本体５２に装着ユニット５１を装着する際、吸込口本体５２のパッキン５２ａ11が装着ユニット５１の区画壁５１ａ13に摺接する。このとき、区画壁５１ａ13や切欠き５１ａ131の角部等に擦れたパッキン５２ａ11が剥がれたり傷が付くと、清掃時において、吸込口本体５２と装着ユニット５１の間の隙間付近の空気がパッキン５２ａ11の損傷箇所から吸込口５２ａ1に流入するおそれがあり、そうすると集塵開口部５１ｘから空気を吸引する吸引力が低下する。したがって、パッキン５２ａ11の損傷を抑制することによって不必要な箇所からの空気流入を抑制するために、パッキン５２ａ11の表面に摩擦低減膜が積層されている。
【００２８】
また、第１筐体部５２ａの右側部分には、回転ブラシユニット５１ｂのギヤ部５１ｂ23と噛合可能な駆動ギヤ部５２ａ2を回転させるモータＭ（図４、図７参照）が内蔵されている。また、第１筐体部５２ａの左側部分には、第１筐体部５２ａの底壁に形成した貫通孔を通って上下方向へ揺動可能に設けられた車輪５２ａ32を有する吸込可能状態検知部５２ａ3が設けられている。
【００２９】
吸込口体５が床面上に載置されると、吸込可能状態検知部５２ａ3の車輪５２ａ32が吸込口体５の内部側へ揺動して引っ込む。これにより、吸込可能状態検知部５２ａ3のスイッチ５２ａ33がＯＮとなって検知信号を出力する。また、吸込口体５が床面から浮き上がると車輪５２ａ32が外部へ突出する。これにより、吸込可能状態検知部５２ａ3のスイッチ５２ａ33がＯＦＦとなって検知信号の出力を停止する。なお、この検知信号は、例えば、掃除機本体２内に設けられた制御部（例えば、マイコン）に入力され、その検知信号に基づいて制御部はモータＭの駆動を制御する。
【００３０】
また、第１筐体部５２ａの左側部分であって吸込可能状態検知部５２ａ3の上方には、前記ロック部材５１ａ3にて装着ユニット５１を吸込口本体５２に固定した状態を検知するロック検知部５２ａｘ（図９、図１２参照）が設けられている。ロック検知部５２ａｘについて詳しくは後述する。なお、モータＭまたはロック検知部５２ａｘを制御する回路基板５２ａｐがロック検知部５２ａｘの下方に設けられている。
【００３１】
図４と図５に示すように、一方向に長い第１筐体部５２ａは、その一端側にモータＭを収納するモータ収納室５２ｍと、外部の空気をモータ収納室５２ｍに吸気可能な吸気孔５２ｍ1と、モータ収納室５２ｍ内を通過した空気を吸込口５２ａ1側へ排気可能な排気孔５２ｍ2と有している。
【００３２】
具体的には、第１筐体部５２ａの右側部分にモータ収納室５２ｍが設けられ、モータＭはその出力軸Ｍｓの先端が第１筐体部５２ａの右側壁５２ｒｗを貫通するようにモータ収納室５２ｍに収納されている。なお、モータ収納室５２ｍにはモータＭを所定位置に位置決めする複数のリブが設けられている。
【００３３】
吸気孔５２ｍ1は、モータ収納室５２ｍを構成する後壁５２ｂｗにおける右側壁５２ｒｗ寄りに形成されている。また、排気孔５２ｍ2は、モータ収納室５２ｍと吸込口５２ａ１との間の壁部５２ｘｗに形成されている。よって、モータＭの出力軸Ｍｓの先端は吸気孔５２ｍ1側に配置され、モータＭの出力軸Ｍｓの基端は排気孔５２ｍ2側に配置される。
【００３４】
これにより、図４と図５に示すように、電気掃除機１が駆動して吸込口５２ａ1内に空気が矢印Ａ方向に引き込まれると、モータ収納室５２ｍ内の空気が排気孔５２ｍ2から出て吸込口５２ａ1内へ引き込まれる。すると、モータ収納室５２ｍ内が負圧となり、外部の空気が吸気孔５２ｍ1を通ってモータ収納室５２ｍ内に流入する。モータ収納室５２ｍ内に空気が流入することにより、モータＭの内部および外部を空気が矢印Ｂ方向に通過するため、この気流によってモータＭが冷却される。
【００３５】
なお、図４に示すように、吸込可能状態検知部５２ａ3およびロック検知部５２ａｘが収納された第１筐体部５２ａの左側部分にも吸気孔５２ｍ1および排気孔５２ｍ2が設けられており、モータＭの冷却と同様に空気流によって回路基板５２ａｐが冷却される。
【００３６】
接続部５２ｂは、上ケース５２ｂｃ1と下ケース５２ｂｃ2とを組み付けて形成され、第１筐体部５２ａの左右長手方向の中間部の後端側に設けられた筒形部５２ａ4の内部に気密かつ回動可能に嵌め込まれる前接続部５２ｂ1と、凹曲面状の内面を有する前接続部５２ｂ1と連設された後接続部５２ｂ2とを有する。また、後接続部５２ｂ2の上部には切欠き５２ｂ21が形成されている。
【００３７】
第３筐体部５２ｃは、上ケース５２ｃｃ1と下ケース５２ｃｃ2とを組み付けて形成され、接続部５２ｂの後接続部５２ｂ2内に気密かつ揺動可能に嵌め込まれる前接続部５２ｃ1と、延長パイプ４と着脱可能に接続される後接続部５２ｃ2とを有する。後接続部５２ｃ2は、延長パイプ４の接続端子と電気的に接続可能な複数の接続端子５２ｃ21が設けられている。この接続端子５２ｃ21は、吸込可能状態検知部５２ａ3の検知信号を前記制御部に送出する信号送出部として機能すると共に、後述するロック検知部５２ａｘのロック検知信号を前記制御部に送出する信号送出部として機能する。
【００３８】
［床面清掃用の装着ユニットの吸込口本体への装着］
図１０（Ａ）は実施形態１における吸込口本体と装着ユニットが分離した状態、（Ｂ）は吸込口本体に装着ユニットを装着する状態を示す図である。また、図１１は実施形態１における装着ユニットを吸込口本体に装着する状態を示す部分断面図である。また、図１２（Ａ）は実施形態１における吸込口体に装着された装着ユニットをロック部材にてロックする前の状態、（Ｂ）はロック後の状態を示す断面図である。
【００３９】
吸込口本体５２に装着ユニット５１を装着する際は、図１０（Ａ）に示すように、装着ユニット５１の装着凹部５１ｚの上方に吸込口本体５２を移動させ、図１０（Ｂ）に示すように、吸込口本体５２の第１筐体部５２ａ1を装着ユニット５１の装着凹部５１ｚに挿入する。そして、図１１に示すように、吸込口本体５２を右方向へスライド移動させることにより、吸込口本体５２の駆動ギヤ部５２ａ2が回転ブラシユニット５１ｂのギヤ部５１ｂ26と噛合する。このとき、吸込可能状態検知部５２ａ3の車輪５２ａ32が、装着ユニット５１の前記窓部５１ａ111から下方外部へ突出する。
【００４０】
また、下ケース５１ａ1の複数の係止凸部５１ａ131が吸込口本体５２の複数の係止溝部５２ａ5に係止する。なお、図７（Ａ）と（Ｂ）に示すように、各係止溝部５２ａ5は横倒Ｌ形に形成されており、各係止溝部５２ａ5に嵌り込んだ各係止凸部５１ａ131が縦（上下）方向にスライドした後に横（左右）方向にスライドできる。
【００４１】
また、吸込口本体５２を装着ユニット５１に対して限界まで横方向にスライドすることにより、「カチッ」という係止音が発せられるように構成されている。この係止音は、図１１に示すように、吸込口本体５２の第１筐体部５２ａ1の底部から外部下方に突出・引っ込み可能に設けられた凸部５２ａ12が、装着ユニット５１の装着凹部５１ｚに設けられた係合凹部５１ｚ1に係合することにより発せられる。この係止音により、ユーザーは、装着ユニット５１を吸込口本体５２に確実に装着できたことを認識することができる。
【００４２】
この場合、例えば、凸部５２ａ12は下方の先端に丸みを有する弾丸形に形成され、図示しない弾発部材にて下方へ弾発的に付勢される。また、係合凹部５１ｚ1は、装着凹部５１ｚの底面に形成された突起部５１ｚ2の丸みを有する頂部に形成された凹みとすることができる。このようにすれば、凸部５２ａ12が突起部５１ｚ2の丸み部分を乗り越えて係合凹部５１ｚ1に係止することができ、かつ係止の際に前記係止音が発せられやすくなる。
【００４３】
吸込口本体５２を装着ユニット５１に対して限界まで横方向にスライドして装着した後、装着ユニット５１の装着凹部５１ｚにおける吸込口本体５２の第１筐体部５２ａ1の左側のスペースにロック部材５１ａ3を嵌め込む。これにより、吸込口本体５２に装着された装着ユニット５１が固定される。
【００４４】
このとき、図１２（Ａ）と（Ｂ）に示すように、吸込口本体５２の第１筐体部５２ａ1の左側部分に設けられた前記ロック検知部５２ａｘに対してロック部材５１ａ3が作用する、例えば、ロック部材５１ａ3がロック検知部５２ａｘのスイッチ部をＯＮすることによって、ロック検知部５２ａｘがロック検知信号を出力する。また、ロック部材５１ａ3を取り外すことにより、ロック検知部５２ａｘのスイッチ部がＯＦＦとなって、ロック検知部５２ａｘからのロック検知信号の出力が停止する。
【００４５】
このロック検知信号は、例えば、掃除機本体２内に設けられた制御部に入力され、そのロック検知信号に基づいて制御部はモータＭの駆動を制御する。つまり、吸込口本体５２に装着ユニット５１が適切に装着され固定されると、ロック検知信号が制御部に入力される。
【００４６】
吸込口本体５２に床面清掃用の装着ユニット５１が装着されてなる吸込口体５を備えた電気掃除機１によれば、前記のように吸込口体５を床面上に載置することによって吸込可能状態検知部５２ａ3の車輪５２ａ32が上がって吸込可能状態検知信号が出力され、その吸込可能状態検知信が制御部に入力される。
【００４７】
ロック検知信号と吸込可能状態検知信号の両方が制御部に入力されることによって、吸込口体５のモータＭは駆動可能状態となる。よって、ハンドル４ａの操作部４ｂを操作して運転モードにすると、掃除機本体２内の電動送風機が駆動すると共に、回転ブラシ部５１ｂ1が回転して床面清掃を行うことができる。
【００４８】
実施形態１の吸込口体５によれば、吸込口本体５２に装着ユニット５１が不適切に装着された状態のままモータＭが駆動して回転ブラシ部５１ｂ1が回転し、それによってモータＭ、駆動ギヤ部５２ａ2、ギヤ部５１ｂ28等の部品が損傷するという不具合を防止できると共に、吸込口体５が床面上に載置されてから回転ブラシ部５１ｂ1が回転するという安全性に配慮することができる。
【００４９】
なお、吸込口本体５２と装着ユニット５１の分離は、装着の手順と逆に行えばよい。また、モータＭや吸込状態検知部５２ａ3、ロック検知部５２ａｘ等の電気部品は吸込口本体５２内に収められ、装着ユニット５１内に電気部品は全く収められていないため、図８のように装着ユニット５１を分解して各部品を水洗いすることができる。
【００５０】
（実施形態２）
図１３は本発明の吸込口本体を備えた吸込口体の実施形態２であって（Ａ）は平面図、（Ｂ）は側面図、（Ｃ）は底面図である。また、図１４は実施形態２の吸込口体の上ケースを外した状態の平面図であり、図１５は実施形態２の吸込口体の駆動力伝達機構側の一部断面図であり、図１６は実施形態２の吸込口体の分解図である。
【００５１】
実施形態２では、実施形態１で説明した吸込口本体５２に、寝具清掃用の装着ユニット１０５１を装着した吸込口体１００５を説明する。つまり、この吸込口体１００５は、叩き板によって布団や毛布等の寝具に付着した塵埃、髪の毛や糸屑等の繊維状ゴミ、綿ゴミ等を叩き出して吸い取る寝具清掃用の吸込口体である。
【００５２】
［寝具清掃用の装着ユニット］
寝具清掃用の装着ユニット１０５１は、下ケース１０５１ａ1、上ケース１０５１ａ2およびロック部材１０５１ａ3を有してなる筐体１０５１ａと、筐体１０５１ａ内に設けられた叩き板１０５１ｂと、叩き板１０５１ｂを揺動させる駆動力伝達機構１０５１ｃとを備える。
【００５３】
下ケース１０５１ａ1は、底壁１０５１ａ11と、底壁１０５１ａ11の外周に沿って連設された周囲壁１０５１ａ12とを有する。
下ケース１０５１ａ1における集塵開口部１０５１ｘを有する前方部と、集塵開口部１０５１ｘよりも後方の後方部との間には、これらの領域を区画する区画壁１０５１ａ13が設けられている。これにより、下ケース１０５１ａ1における後方部には吸込口本体５２の第１筐体部５２ａが装着される装着凹部１０５１ｚが形成される。なお、装着凹部１０５１ｚの底壁１０５１ａ11には、実施形態１の装着ユニット５１が有する窓部５１ａ111に相当する開口部は形成されていない。
【００５４】
底壁１０５１ａ11および周囲壁１０５１ａ12には、叩き板１０５１ｂおよび駆動力伝達機構１０５１ｃを保持する複数のリブおよび段部が形成されており、集塵開口部１０５１ｘの左右両側のリブおよび段部は、実施形態２の叩き板１０５１ｂを支持する軸受保持部１０５１Ａとしての役割を担っている。
【００５５】
また、底壁１０５１ａ11の下面における集塵開口部１０５１ｘの周囲には、前後方向に延びる複数のリブ１０５１ａ111が設けられている。これらのリブ１０５１ａ111は、吸込口体１００５の下面を寝具に押し付けたときに寝具と下面との間に隙間を形成し、集塵開口部１０５１ｘが寝具に吸い付くことを抑制する。
【００５６】
［叩き板］
叩き板１０５１ｂは、軸部１０５１ｂ1と、軸部１０５１ｂ1の両端に回転自在に設けられた実施形態１と同様の軸受部５１Ｂと、軸部１０５１ｂ1から径方向外方へ突出する叩き板部１０５１ｂ2、摘み片１０５１ｂ3、弾発部材当接片１０５１ｂ4およびカム当接片１０５１ｂ5とを有する。
【００５７】
［駆動力伝達機構］
駆動力伝達機構１０５１ｃは、吸込口本体５２の駆動ギヤ部５２ａ2と噛合可能なギヤ部１０５１ｃ1と、叩き板１０５１ｂのカム当接片１０５１ｂ5と当接可能なカム部１０５１ｃ2と、ケース部とを備える。なお、ケース部には水抜き孔１０５１ｃ221が形成されている。
【００５８】
ケース部には、相互に平行に固着された３本の金属軸１０５１ｃ5、１０５１ｃ6、１０５１ｃ7と、ギヤ形の第１〜４プーリ１０５１ｃ8、１０５１ｃ9、１０５１ｃ10、１０５１ｃ11および一対のベルト１０５１ｃ12、１０５１ｃ13が収納されている。
【００５９】
ギヤ部１０５１ｃ1は、そのボス部が金属軸１０５１ｃ5に一体回転可能に取り付けられている。また、金属軸１０５１ｃ5には小さい第１プーリ１０５１ｃ8が固着されている。
【００６０】
カム部１０５１ｃ2は筒状の軸部を有し、その軸部の一端が金属軸１０５１ｃ7に一体回転可能に取り付けられると共に、金属軸１０５１ｃ7に大きい第４プーリ１０５１ｃ11が固着されている。また、カム部１０５１ｃ2の軸部の他端にも金属軸が固着されており、この金属軸に軸受を介して実施形態１と同様の軸受部５１Ｂが取り付けられている。
【００６１】
また、中間の金属軸１０５１ｃ6には大きい第２プーリ１０５１ｃ9および小さい第３プーリ１０５１ｃ10が固着されている。そして、第１と第２プーリ１０５１ｃ8、１０５１ｃ9がベルト１９５１ｃ12にて張架され、第３と第４プーリ１０５１ｃ10、１０５１ｃ11が別のベルト１９５１ｃ13にて張架されている。
【００６２】
このように構成された駆動力伝達機構１０５１ｃによれば、吸込口本体５２のモータＭからの回転力がギヤ部１０５１ｃ1に伝達されて回転すると、その回転力が第１プーリ１０５１ｃ8、ベルト１０５１ｃ12、第２プーリ１０５１ｃ9、第３プーリ１０５１ｃ10、ベルト１０５１ｃ13および第４プーリ１０５１ｃ11を介してカム部１０５１ｃ2に伝達され、それによってカム部１０５１ｃ2が回転する。このとき、第１プーリ１０５１ｃ8の回転速度は、例えば、６〜１２％程度に減速されてカム部１０５１ｃ2に伝達される。
【００６３】
［叩き板の動作］
駆動力伝達機構１０５１ｃのカム部１０５１ｃ2が回転することによって、叩き板１０５１ｂにおいては、カム当接片１０５１ｂ5が下方に押され、それによって軸部１０５１ｂ1が回動して叩き板部１０５１ｂ2が上方へ揺動する。そして、カム当接片１０５１ｂ5がカム部１０５１ｃ2を乗り越えると、弾発部材１０５１ｃ8によって付勢された弾発部材当接片１０５１ｃ4が軸部１０５１ｂ1を反対方向へ回動させ、それによって叩き板部１０５１ｂ2が下方へ揺動する。この動作を繰り返すことで叩き板部１０５１ｂ2が、例えば、１分間に６００〜１２００ストローク程度の割合で揺動（振動）する。このように、叩き板１０５１ｂは上方と下方へ所定角度範囲で往復揺動する。
【００６４】
［寝具清掃用の装着ユニットの吸込口本体への装着］
【００６５】
図１７（Ａ）は実施形態２における装着ユニットを吸込口本体に装着する前の状態、（Ｂ）は装着後の状態を示す断面図であり、図１８は実施形態２における装着ユニットを吸込口本体に装着する状態を示す部分断面図である。
【００６６】
吸込口本体５２に装着ユニット１０５１を装着する際は、実施形態１の場合と同様である。すなわち、装着ユニット１０５１の装着凹部１０５１ｚの上方に吸込口本体５２を移動させ、吸込口本体５２の第１筐体部５２ａ1を装着ユニット１０５１の装着凹部１０５１ｚに挿入する。そして、吸込口本体５２を右方向へスライド移動させることにより、吸込口本体５２の駆動ギヤ部５２ａ2が駆動力伝達機構１０５１ｃのギヤ部１０５１ｃ1と噛合する。
【００６７】
このとき、図１７と図１８に示すように、吸込可能状態検知部５２ａ3の車輪５２ａ32は、装着ユニット１０５１の装着凹部１０５１ｚの底壁１０５１ａ11上に乗る。よって、車輪５２ａ32は上がった状態であるため、吸込可能状態検知部５２ａ3から制御部に向かって吸込可能状態検知信号が出力される。
【００６８】
なお、仮に、実施形態１のように車輪５２ａ32が装着ユニット１０５１の下方外部に突出していたとすると、吸込口体１００５を布団上に載置したときに吸込可能状態検知部５２ａ3の車輪５２ａ32が布団に埋没するおそれがある。そうすると、車輪５２ａ32が上昇せず、吸込可能状態検知部５２ａ3が布団を検知しないため、吸込可能状態検知部５２ａ3から制御部に向かって吸込可能状態検知信号が出力されなくなる。その場合、モータＭが駆動しないため叩き板１０５１ｂ1が揺動しないという不具合が生じるおそれがある。
【００６９】
また、実施形態１と同様に、下ケース１０５１ａ1の複数の係止凸部１０５１ａ131が吸込口本体５２の複数の係止溝部５２ａ5に係止する。また、吸込口本体５２を装着ユニット５１に対して限界まで横方向にスライドすることにより、「カチッ」という係止音が発せられる。すなわち、寝具清掃用の装着ユニット１０５１にも、実施形態１と同様に、係合凹部１０５１ｚ1が設けられている。
【００７０】
吸込口本体５２を装着ユニット１０５１に対して限界まで横方向にスライドして装着した後、実施形態１と同様に、装着ユニット１０５１の装着凹部１０５１ｚにおける吸込口本体５２の第１筐体部５２ａ1の左側のスペースにロック部材１０５１ａ3を嵌め込む。これにより、吸込口本体５２に装着された装着ユニット１０５１が固定される（図１２参照）。
【００７１】
このときも、実施形態１と同様に、吸込口本体５２のロック検知部５２ａｘに対してロック部材１０５１ａ3がロック検知部５２ａｘのスイッチ部をＯＮすることによって、ロック検知部５２ａｘがロック検知信号を出力する。また、ロック部材１０５１ａ3を取り外すことにより、ロック検知部５２ａｘのスイッチ部がＯＦＦとなって、ロック検知部５２ａｘからのロック検知信号の出力が停止する。
【００７２】
そして、このロック検知信号は、例えば、掃除機本体２内に設けられた制御部に入力され、そのロック検知信号に基づいて制御部はモータＭの駆動を制御する。つまり、吸込口本体５２に装着ユニット１０５１が適切に装着され固定されると、ロック検知信号が制御部に入力される。
【００７３】
このように、吸込口本体５２に寝具清掃用の装着ユニット１０５１が装着されてなる吸込口体１００５を備えた電気掃除機によれば、吸込口本体５２に装着ユニット１０５１が適切に装着され固定されると、吸込可能状態検知信号およびロック検知信号が制御部に入力される。
【００７４】
ロック検知信号と吸込可能状態検知信号の両方が制御部に入力されることによって、吸込口体５のモータＭは駆動可能状態となる。よって、ハンドル４ａの操作部４ｂを操作して運転モードにすると、掃除機本体２内の電動送風機が駆動して吸込口体１００５による吸引が開始し、かつ叩き板１０５１ｂ1が揺動して寝具清掃を行うことができる。
【００７５】
実施形態２の吸込口体１００５によれば、吸込口本体５２に装着ユニット１０５１が不適切に装着された状態のままモータＭが駆動して叩き板１０５１ｂ1が揺動し、それによってモータＭ、駆動ギヤ部５２ａ2、ギヤ部１０５１ｃ1等の部品が損傷するという不具合を防止できると共に、吸込可能状態検知部５２ａ3が装着ユニット１０５１を検知して確実に叩き板１０５１ｂ1を揺動させることができる。
【００７６】
このとき、実施形態１と同様に、吸込口本体５２の吸込口５２ａ1に流入する空気の流れによって、第１筐体部５２ａ内に収納されたモータＭ、吸込可能状態検知部５２ａ3、ロック検出部５２ａｘ等の電気部品が冷却される（図４参照）。
【００７７】
なお、吸込口本体５２と装着ユニット１０５１の分離は、装着の手順と逆に行えばよい。また、モータＭや吸込状態検知部５２ａ3、ロック検知部５２ａｘ等の電気部品は吸込口本体５２内に収められ、装着ユニット１０５１内に電気部品は全く収められていないため、図１６のように装着ユニット１０５１を分解して各部品を水洗いすることができる。
【００７８】
（実施形態３）
図１９は実施形態３における吸込口本と装着ユニットが分離した状態を示す説明図であり、図２０は実施形態３における吸込口本に装着ユニットを装着した状態を示す説明図である。
実施形態２の吸込口体２００５は、吸込口２０５２ａ1を有する吸込口本体２０５２と、この吸込口本体２０５２に装着される床面清掃用の装着ユニット２０５１とを備えるが、実施形態１の吸込口体５とは構造が異なっている。
【００７９】
＜装着ユニット＞
装着ユニット２０５１は、筐体２０５１ａと、集塵開口部２０５１ｘを覆うように筐体２０５１ａに設けられた回転ブラシユニット２０５１ｂとを備える。
【００８０】
筐体２０５１ａは、底部に集塵開口部２０５１ｘを有すると共に、上部に装着ユニット２０５１を嵌め入れることができるようにする切欠き部２０５１ｙを有する。また、筐体２０５１ａの集塵開口部２０５１ｘよりも後方に突起部２０５１ａｚが設けられると共に、突起部２０５１ａｚに後方に開口する係止凹部２０５１ａｚ1が形成されている。
【００８１】
回転ブラシユニット２０５１ｂは、略半円筒形のカバー部材２０５１ｂ1と、カバー部材２０５１ｂ1の両端の左右側壁に回転可能に取り付けられた回転ブラシ部２０５１ｂ2と、回転ブラシ部２０５１ｂ2の長手方向中間位置よりも少し一端側にずれた位置に一体回転可能に設けられた回転ブラシギヤ２０５１ｂ3とを有する。なお、回転ブラシ部２０５１ｂ2は、実施形態１の回転ブラシ部５１ｂ1（図８参照）のブラシの構造と同様に構成されている。
【００８２】
カバー部材２０５１ｂ1は、回転ブラシギヤ２０５１ｂ3の位置にスリット２０５１ｂ11が形成されていると共に、装着ユニット２０５１を装着した吸込口本体２０５２の吸込口２０５２ａ1に臨むように切欠き２０５１ｂ12が形成されている。これにより、回転ブラシギヤ２０５１ｂ3は、カバー部材２０５１ｂ1のスリット２０５１ｂ11および筐体２０５１ａの切欠き部２０５１ｙを通して外部上方に露出する。
【００８３】
＜吸込口本体＞
吸込口本体２０５２は、吸込口２０５２ａ1を有する棒状の筐体２０５２ａと、モータＭと、モータＭの駆動力を回転ブラシギヤ２０５１ｂ3に伝達する駆動力伝達機構２０５１ｂとを備える。
【００８４】
筐体２０５２ａは、吸込口２０５２ａ1を前面に有する後部筐体２０５２ａ11と、後部筐体２０５２ａ11の前面に庇状に設けられてモータＭおよび駆動力伝達機構２０５１ｂを収納する前部筐体２０５２ａ12とを有する。なお、後部筐体２０５２ａ11の前面における吸込口２０５２ａ1の下方には、装着ユニット２０５１の前記係止凹部２０５１ａｚ1に係止可能な係止凸部２０５２ａ111が設けられている。
【００８５】
前部筐体２０５２ａ12は、モータ収納室２０５２ｍ1と、駆動力伝達機構収納室２０５２ｍ2とを有し、これらは窓部２０５２ｍ3によって連通している。しかしながら、モータ収納室２０５２ｍ1に収納されたモータＭによって窓部２０５２ｍ3は塞がれている。このとき、駆動力伝達機構収納室２０５２ｍ2にモータＭの出力軸Ｍｓが突出し、出力軸Ｍｓの先端に小ギヤ２０５２ｂ1が固着されている。また、駆動力伝達機構収納室２０５２ｍ2の側壁には、小ギヤ２０５２ｂ1と噛合する大ギヤ２０５２ｂ2が回転可能に枢着されている。なお、大ギヤ２０５２ｂ2は、駆動力伝達機構収納室２０５２ｍ2の底壁に形成されたスリットを通して外部下方に露出する。
【００８６】
さらに、駆動力伝達機構収納室２０５２ｍ2の側壁には吸気孔２０５２ｍ21が形成されると共に、後部筐体２０５２ａ11と前部筐体２０５２ａ12の間の隔壁には排気孔２０５２ｍ11が形成されている。これにより、モータ収納室２０５２ｍ1と後部筐体２０５２ａ11の内部とは排気孔２０５２ｍ11を介して連通している。
【００８７】
このように構成された吸込口本体２０５２に装着ユニット２０５１を図２０に示すように装着すると、吸込口本体２０５２の大ギヤ２０５２ｂ2と装着ユニット２０５１の回転ブラシギヤ２０５１ｂ3とが噛合する。これにより、モータＭの駆動力は、小ギヤ２０５２ｂ1、大ギヤ２０５２ｂ2および回転ブラシギヤ２０５１ｂ3を介して回転ブラシ部２０５１ｂ2に伝達され、それによって回転ブラシ部２０５１ｂ2が回転する。
【００８８】
実施形態３の吸込口体２００５によれば、掃除機本体が駆動して吸引することにより、回転ブラシ部２０５１ｂ2が回転しながら集塵開口部２０５１ｘから塵埃を含む空気が吸引される。このとき、吸込口本体２０５２の吸込口２０５２ａ1に空気が流入することによりモータ収納室２０５２ｍ1内の空気が排気孔２０５２ｍ11から後部筐体２０５２ａ11内に引き込まれる。すると、モータ収納室２０５２ｍ1が負圧になるため、外部の空気が吸気孔２０５２ｍ21を通って駆動力伝達機構収納室２０５２ｍ2内に流入し、モータＭ内を通ってモータ収納室２０５２ｍ1に流入するという気流が生じる。これにより、モータＭが冷却される。
【００８９】
なお、吸込口本体２０５２と装着ユニット２０５１の分離は、装着の手順と逆に行えばよい。また、モータＭ等の電気部品は吸込口本体２０５２内に収められ、装着ユニット２０５１内に電気部品は全く収められていないため、装着ユニット２０５１を分解して各部品を水洗いすることができる。
【００９０】
また、実施形態３の吸込口本体２０５２に装着可能な寝具清掃用装着ユニットを作製することにより、共通の吸込口本体２０５２を用いて床面清掃用の吸込口体と寝具清掃用の吸込口体を低コストにて得ることができる。この場合の寝具清掃用装着ユニットは、実施形態２の叩き板１０５１ｂと駆動力伝達機構１０５１ｃの駆動原理を応用して作製することができる（図１６参照）。
【００９１】
（実施形態４）
図２１は実施形態４における吸込口本と装着ユニットが分離した状態を示す斜視図である。
実施形態４の吸込口体３００５は、吸込口を有する吸込口本体３０５２と、この吸込口本体３０５２に装着される床面清掃用の装着ユニット３０５１とを備え、実施形態３の吸込口体２００５と構造が類似している。
【００９２】
＜装着ユニット＞
装着ユニット３０５１は、集塵開口部を有する筐体３０５１ａと、集塵開口部の位置に設けられた回転ブラシユニット３０５１ｂとを備える。
【００９３】
回転ブラシユニット３０５１ｂは、回転ブラシ部３０５１ｂ1と、回転ブラシ部３０５１ｂ1の長手方向中間位置よりも少し一端側にずれた位置に設けられた駆動力伝達機構３０５１ｂ2とを有し、回転ブラシ部３０５１ｂ2はその両端が筐体３０５１ａに取り付けられている。
【００９４】
駆動力伝達機構３０５１ｂ2は、実施形態１の駆動力伝達機構５１ｂ2と同様に、ケース部内に収納された一対のギヤ形プーリにベルトが巻き掛けられている。そして、回転ブラシ部３０５１ｂ1とは反対側のプーリはギヤ部３０５１ｂ21と一体回転可能に連結されている。
【００９５】
＜吸込口本体＞
吸込口本体３０５２は、底部に吸込口を有する筐体３０５２ａと、筐体３０５２ａに設けられたモータＭおよびモータＭの出力軸の先端に連結された駆動ギヤ３０５２ａ1とを備える。この駆動ギヤ３０５２ａ1は、吸込口本体３０５２に装着ユニット３０５１を装着することにより前記ギヤ部３０５１ｂ21と噛合する。
【００９６】
筐体３０５２ａは、基本的に実施形態３と同様に構成されている。つまり、吸込口本体３０５２の吸込口から内部へ空気が流入することにより、実施形態３の図１７を用いて説明したようにモータ収納室内を空気が流れてモータＭが冷却されるように、筐体３０５２ａは構成されている。
【００９７】
実施形態４の場合、吸込口本体３０５２に装着ユニット３０５１を装着した後、吸込口本体３０５２の駆動ギヤ３０５２ａ1を装着ユニット３０５１のギヤ部３０５１ｂ21へ押し付けてこれらを確実に噛合させるモータ押圧機構が筐体３０５２ａ内に設けられている。このモータ押圧機構は、例えば、モータＭの出力軸先端側を基端側に向けて弾発付勢する弾発部材と、レバー３０５２ｂを前方（矢印Ｑ方向）に押すことにより弾発部材の付勢力に抗してモータＭの出力軸基端側を先端側へ押圧する押圧部材（図示なし）とを備える。
【００９８】
なお、吸込口本体３０５２に装着ユニット３０５１を装着した後にレバー３０５２ｂを前方（矢印Ｑ方向）に押すことによって、駆動ギヤ３０５２ａ1とギヤ部３０５１ｂ21とが噛合すると共に、吸込口本体３０５２の筐体３０５２ａの外周面に設けられた係合部と装着ユニット３０５１の筐体３０５１ａの装着凹部３０５１ａ1に設けられた係合部とが相互に係合する。
【００９９】
なお、吸込口本体３０５２と装着ユニット３０５１の分離は、装着の手順と逆に行えばよい。また、モータＭ等の電気部品は吸込口本体３０５２内に収められ、装着ユニット３０５１内に電気部品は全く収められていないため、装着ユニット３０５１を分解して各部品を水洗いすることができる。
【０１００】
また、実施形態４の吸込口本体３０５２に装着可能な寝具清掃用装着ユニットを作製することにより、共通の吸込口本体３０５２を用いて床面清掃用の吸込口体と寝具清掃用の吸込口体を低コストにて得ることができる。この場合の寝具清掃用装着ユニットは、実施形態２の叩き板１０５１ｂと駆動力伝達機構１０５１ｃの駆動原理を応用して作製することができる（図１６参照）。
【０１０１】
（まとめ）
本発明の電気掃除機の吸込口本体は、電気部品および吸込口を有する吸込口本体と、この吸込口本体に選択的に着脱可能に装着される床面清掃用装着ユニットおよび寝具清掃用装着ユニットと、前記床面清掃用装着ユニットまたは前記寝具清掃用装着ユニットに装着された前記吸込口本体を固定するロック部材とを備え、
前記吸込口本体は、第１筐体と、前記第１筐体内に前記電気部品として設けられたモータおよびロック検知部とを有し、
前記床面清掃用装着ユニットは、第２筐体と、前記第２筐体内に設けられて前記モータの駆動力にて回転可能な回転ブラシを有し、
前記寝具清掃用装着ユニットは、第３筐体と、前記第３筐体内に設けられて前記モータの駆動力にて揺動可能な叩き板を有し、
前記ロック検知部は、前記床面清掃用装着ユニットまたは前記寝具清掃用装着ユニットに装着された前記吸込口本体が前記ロック部材にて固定された状態を検知することにより検知信号を出力するように構成される。
【０１０２】
本発明の電気掃除機の吸込口体は、次のように構成されてもよく、それらが適宜組み合わされてもよい。
（１）前記吸込口本体は、前記第１筐体内に前記電気部品として設けられた吸込可能検知部をさらに有し、
前記吸込可能検知部は、前記第１筐体の底壁から外部へ突出可能なように上下方向に揺動可能に設けられた車輪と、前記車輪が上方へ揺動して前記第１筐体内に引っ込んだ状態を検知することにより検知信号を出力するスイッチとを有し、
前記第２筐体は、装着された前記吸込口体の前記車輪を外部へ突出させる窓部を有し、
前記第３筐体は、装着された前記吸込口体の前記車輪を受ける底壁を有してもよい。
【０１０３】
（２）前記第１筐体は、前記モータを収納するモータ収納室と、外部の空気を前記モータ収納室に吸気可能な吸気孔と、前記モータ収納室内を通過した空気を前記吸込口側へ排気可能な排気孔と有し、
前記第１筐体は、一方向に長い形状で形成された前記吸込口を有する第１筐体部と、この第１筐体部の長手方向と直交する方向に形成されて電気掃除機の掃除機本体に接続される第２筐体部とを備え、
前記第２筐体部の内部は前記吸込口と連通する通風路であり、
前記第１筐体部において、前記吸込口の長手方向一端側に前記モータ収納室が設けられ、前記一端側に前記吸気孔が形成され、前記通風路側に前記排気孔が形成されてもよい。
【０１０４】
また、第１筐体部の左右中間に駆動力伝達機構を配置すると、駆動力伝達機構および回動清掃部材の構成が複雑化することに加え、第１筐体部と第２筐体部との接続部分が大きくなって吸込口本体の見栄えが悪化する。これに対し、第１筐体部の一端側に駆動力伝達機構を配置することで、駆動力伝達機構および回動清掃部材の構成を簡素化することできると共に、吸込口本体の見栄えが向上するメリットも得られる。
【０１０５】
（３）前記モータは、その出力軸の先端が前記吸気孔側に配置され、前記出力軸の基端が前記排気孔側に配置されてもよい。
このようにすれば、第１筐体部の一端側にモータの出力軸および駆動力伝達機構を配置し、第１筐体部の一端側に吸気孔を配置し、第１筐体部の長手方向中間位置の吸込口側に排気孔を配置した合理的な構造となる。
【０１０６】
（４）前記吸込口は、清掃面に対して略垂直面を成して構成されてもよい。
このようにすれば、第１筐体部の吸込口と接続される装着ユニット側の開口部と接続される通風路の投影面積が少なくなることから第１筐体部のコンパクト化が図れる。
【０１０８】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１０９】
１  電気掃除機
５、１００５、２００５、３００５  吸込口体
５１、２０５１、３０５１  床面清掃用装着ユニット
５１ｂ1、２０５１ｂ2、３０５１ｂ1  回転ブラシ部（回動清掃部材）
５２、２０５２、３０５２  吸込口本体
５２ａ  第１筐体部
５２ａ1、２０５２ａ1  吸込口
５２ｃ  第２筐体部
５２ｍ、２０５２ｍ1  モータ収納室
５２ｍ1、２０５２ｍ21  吸気孔
５２ｍ2、２０５２ｍ11  排気孔
１０５１  寝具清掃用装着ユニット
１０５１ｂ  叩き板（揺動清掃部材）
２０５２ａ、３０５２ａ  筐体
Ｍ  モータ
Ｍｓ  出力軸
【図１】
0006349201.tif 000002
【図２】
0006349201.tif 000003
【図３】
0006349201.tif 000004
【図４】
0006349201.tif 000005
【図５】
0006349201.tif 000006
【図６】
0006349201.tif 000007
【図７】
0006349201.tif 000008
【図８】
0006349201.tif 000009
【図９】
0006349201.tif 000010
【図１０】
0006349201.tif 000011
【図１１】
0006349201.tif 000012
【図１２】
0006349201.tif 000013
【図１３】
0006349201.tif 000014
【図１４】
0006349201.tif 000015
【図１５】
0006349201.tif 000016
【図１６】
0006349201.tif 000017
【図１７】
0006349201.tif 000018
【図１８】
0006349201.tif 000019
【図１９】
0006349201.tif 000020
【図２０】
0006349201.tif 000021
【図２１】
0006349201.tif 000022